(57)【要約】【課題】ケーブルを効率的に格納できるケーブル格納部品及びそのケーブル格納部品を備えた電子機器収納ラックを提供する。【解決手段】ケーブル格納部品２０は、ラックに固定されるトレイ取り付け枠２１と、トレイ取り付け枠２１内に引き出し可能に配置される第１のトレイ２２と、第１のトレイ２２に連動する第２のトレイ２３とを有する。第１のトレイ２２には、電子機器に接続されたケーブルが引っ掛けられるケーブルガイド３７が設けられている。また、トレイ取り付け枠２１には、ケーブルの所定部分を固定するケーブル固定部３３が設けられている。更に、第２のトレイ２３には、ケーブルをケーブル固定部３３側からケーブルガイド３７に向けて折り返す折り返し部４１が設けられている。【選択図】図３
2015230980.tif 000002
【特許請求の範囲】
【請求項１】
電子機器が収納されるラックに固定されるトレイ取り付け枠と、
前記トレイ取り付け枠内に引き出し可能に配置される第１のトレイと、
前記トレイ取り付け枠内に配置され、前記第１のトレイに連動して前記第１のトレイの移動方向と同じ方向に移動する第２のトレイと、
前記第１のトレイの引き出し方向の先端側に配置されて前記電子機器に接続されたケーブルが引っ掛けられるケーブルガイドと、
前記第２のトレイに設けられて前記ケーブルを折り返す折り返し部と
を有することを特徴とするケーブル格納部品。
【請求項２】
前記トレイ取り付け枠に設けられて前記ケーブルの所定部分を固定するケーブル固定部を有し、
前記折り返し部は前記ケーブル固定部を挟んで前記ケーブルガイドと反対側に配置されていることを特徴とする請求項１に記載のケーブル格納部品。
【請求項３】
前記第２のトレイの移動量は、前記第１のトレイの移動量の１／２であることを特徴とする請求項１に記載のケーブル格納部品。
【請求項４】
前記第１のトレイは、当該第１のトレイの引き出し方向に平行な方向に延びるガイド穴を有し、
前記ケーブルガイドは、前記ガイド穴の長さ方向の任意の位置に固定可能であることを特徴とする請求項１乃至３のいずれか１項に記載のケーブル格納部品。
【請求項５】
前記ケーブルガイドを複数有し、前記ガイド穴は前記第１のトレイの引き出し方向に直交する方向に複数配列していることを特徴とする請求項４に記載のケーブル格納部品。
【請求項６】
前記ケーブルガイドは円筒状の部材であり、前記ケーブルガイドの直径が前記ケーブルの種類に応じて設定されていることを特徴とする請求項４に記載のケーブル格納部品。
【請求項７】
電子機器を収納するラック本体と、
前記ラック本体内に配置されて前記電子機器に接続されたケーブルを格納するケーブル格納部品とを具備し、
前記ケーブル格納部品は、
前記ラック本体に固定されるトレイ取り付け枠と、
前記トレイ取り付け枠内に引き出し可能に配置される第１のトレイと、
前記トレイ取り付け枠内に配置され、前記第１のトレイに連動して前記第１のトレイの移動方向と同じ方向に移動する第２のトレイと、
前記第１のトレイの引き出し方向の先端側に配置されて前記ケーブルが引っ掛けられるケーブルガイドと、
前記第２のトレイに設けられて前記ケーブルを折り返す折り返し部とを有する
ことを特徴とする電子機器収納ラック。
【請求項８】
前記トレイ取り付け枠が、前記電子機器と前記ラック本体の側板との間に配置されていることを特徴とする請求項７に記載の電子機器収納ラック。
【発明の詳細な説明】
【技術分野】
【０００１】
本発明は、ケーブル格納部品及び電子機器収納ラックに関する。
【背景技術】
【０００２】
近年、高度情報化社会の到来にともなって計算機で多量のデータが扱われるようになり、データセンター等の施設において多数の計算機（サーバ）及びストレージ等の電子機器を同一室内に設置して一括管理することが多くなっている。例えば、データセンターでは、計算機室内に多数のラック（サーバラック）を設置し、各ラックにそれぞれサーバ、ストレージ装置、Ｉ／Ｏ（Input/Output）拡張装置、及びネットワークスイッチ等の電子機器を収納している。
【０００３】
それらの電子機器は、ケーブルを介して同一ラック内又は他のラック内の電子機器に接続されている。電子機器の保守点検のしやすさを考慮して、電子機器間を接続するケーブルには長めのものが使用されている。
【先行技術文献】
【特許文献】
【０００４】
【特許文献１】特開２００６−３２４６０７号公報
【特許文献２】特開２０１０−１５３０２０号公報
【発明の概要】
【発明が解決しようとする課題】
【０００５】
電子機器間を接続するケーブルが長いと、ラック内に収納したときにラック内の通気性を阻害したり、保守点検時の作業性を悪くしたりすることがある。
【０００６】
開示の技術は、ケーブルを効率的に格納できるケーブル格納部品及びそのケーブル格納部品を備えた電子機器収納ラックを提供することを目的とする。
【課題を解決するための手段】
【０００７】
開示の技術の一観点によれば、電子機器が収納されるラックに固定されるトレイ取り付け枠と、前記トレイ取り付け枠内に引き出し可能に配置される第１のトレイと、前記トレイ取り付け枠内に配置され、前記第１のトレイに連動して前記第１のトレイの移動方向と同じ方向に移動する第２のトレイと、前記第１のトレイの引き出し方向の先端側に配置されて前記電子機器に接続されたケーブルが引っ掛けられるケーブルガイドと、前記第２のトレイに設けられて前記ケーブルを折り返す折り返し部とを有するケーブル格納部品が提供される。
【０００８】
開示の技術の他の一観点によれば、電子機器を収納するラック本体と、前記ラック本体内に配置されて前記電子機器に接続されたケーブルを格納するケーブル格納部品とを具備し、前記ケーブル格納部品は、前記ラック本体に固定されるトレイ取り付け枠と、前記トレイ取り付け枠内に引き出し可能に配置される第１のトレイと、前記トレイ取り付け枠内に配置され、前記第１のトレイに連動して前記第１のトレイの移動方向と同じ方向に移動する第２のトレイと、前記第１のトレイの引き出し方向の先端側に配置されて前記ケーブルが引っ掛けられるケーブルガイドと、前記第２のトレイに設けられて前記ケーブルを折り返す折り返し部とを有する電子機器収納ラックが提供される。
【発明の効果】
【０００９】
上記一観点に係るケーブル格納部品及び電子機器収納ラックによれば、電子機器に接続されたケーブルを余長なく格納できる。
【図面の簡単な説明】
【００１０】
【図１】図１は、ラック内に収納された電子機器のケーブル接続例を示す図である。
【図２】図２は、実施形態に係るケーブル格納部品を備えた電子機器収納ラックを示す斜視図である。
【図３】図３は、ケーブル格納部品を示す斜視図である。
【図４】図４は、ケーブル格納トレイ取り付け枠を示す斜視図である。
【図５】図５は、ケーブル格納トレイを示す斜視図である。
【図６】図６は、ケーブルガイドを示す斜視図である。
【図７】図７は、ケーブル押え枠を示す斜視図である。
【図８】図８は、実施形態に係るケーブル格納部品の使用方法を説明する図（その１）である。
【図９】図９は、実施形態に係るケーブル格納部品の使用方法を説明する図（その２）である。
【図１０】図１０は、実施形態に係るケーブル格納部品の使用方法を説明する図（その３）である。
【図１１】図１１は、ケーブル格納トレイをラック内に収納するときの各部の動作を示す斜視図である。
【図１２】図１２は、ケーブル格納トレイをラック内に収納するときの各部の動作を示す上面図である。
【図１３】図１３は、ラック内に複数のケーブル格納部品を取り付けた例を示す斜視図である。
【図１４】図１４は、１台のラック内に複数のケーブル格納部品を取り付け、各ケーブル格納部品に余長が異なる複数のケーブルを格納した状態を示す斜視図である。
【図１５】図１５は、１つのケーブル格納部品に複数のケーブルを格納した状態を示す側面図である。
【図１６】図１６（ａ）〜（ｃ）は、ケーブル格納部品から１本のケーブルのみを取り外す手順を示す模式図である。
【発明を実施するための形態】
【００１１】
以下、実施形態について説明する前に、実施形態の理解を容易にするための予備的事項について説明する。
【００１２】
図１は、ラック内に収納された電子機器のケーブル接続例を示す図である。
【００１３】
この図１に示した例では、３台のラック１１ａ，１１ｂ，１１ｃにそれぞれ電子機器が収納されている。ラック１１ａには、サーバ１２と、Ｉ／Ｏ拡張装置１３とが収納されている。また、ラック１１ｂには、ストレージ装置１４と、ＦＣ（Fibre Channel）スイッチ１５と、ネットワークスイッチ１６とが収納されている。更に、ラック１１ｃには、ストレージ装置１４が収納されている。
【００１４】
前述したように、電子機器間を接続するケーブルには長めのものが使用されている。同一ラック内に配置された装置間を接続するケーブル１７ａの余長分はラック内に巻回して格納され、異なるラック内に配置された装置間を接続するケーブル１７ｂの余長分はラックの床下の空間に巻回して格納されている。
【００１５】
近年、各種電子機器の小型化及び高集積化に伴って、１台のラック内に収納される電子機器の数が多くなっている。このため、同一ラック内の電子機器間を接続するケーブルの数が多くなり、ラック内に大量のケーブルを格納することが求められるようになった。
【００１６】
通常、ケーブルの余長分は電子機器とラックの側壁との間の空間に格納している。しかし、ケーブルの数が多くなると、電子機器とラックの側壁との間の空間にケーブルを格納しきれなくなる。その結果、ケーブルが電子機器の前面又は背面の通気口を覆ってしまい、ラック内の通気性が阻害されることがある。ラック内の通気性が阻害されると、電子機器を十分に冷却できなくなって、電子機器の故障や性能低下の原因になる。
【００１７】
また、複数本のケーブルをまとめてラック内に格納すると、保守点検時にケーブルを１本ずつ引き出すことが困難になる。その結果、不要のケーブルまでラックから引き出すことになり、作業性が低下するだけでなく、作業対象外の電子機器の動作にも影響を与えるおそれがある。
【００１８】
以下の実施形態では、ケーブルを効率的に格納できるケーブル格納部品及びそのケーブル格納部品を備えた電子機器収納ラックについて説明する。
【００１９】
（実施形態）
図２は、実施形態に係るケーブル格納部品を備えた電子機器収納ラックを示す斜視図である。また、図３は、ケーブル格納部品を示す斜視図である。
【００２０】
図２に示すように、電子機器１０は、ラック（ラック本体）１１のフレーム１８間に配置されており、それらのフレーム１８により支持されている。また、本実施形態に係るケーブル格納部品２０は、フレーム１８と、ラック１１の側板１９との間の空間に配置される。
【００２１】
図３のように、ケーブル格納部品２０は、ケーブル格納トレイ取り付け枠２１と、ケーブル格納トレイ２２と、ケーブル押え枠２３とを有する。なお、ケーブル格納トレイ２２は第１のトレイの一例であり、ケーブル押え枠２３は第２のトレイの一例である。
【００２２】
ケーブル格納トレイ取り付け枠２１にはフランジ部３１ａ，３１ｂが設けられており、それらのフランジ部３１ａ，３１ｂをフレーム１８にねじ止めすることで、当該ケーブル格納部品２０をラック１１の内側に固定する。
【００２３】
ケーブル格納トレイ２２及びケーブル押え枠２３は、ケーブル格納トレイ取り付け枠２１内に配置されている。ケーブル格納トレイ２２の長手方向の一端側には取っ手３５が設けられており、取っ手３５を引っ張ることで、ケーブル格納トレイ２２をケーブル格納トレイ取り付け枠２１から引き出すことができる。
【００２４】
以下、説明の便宜上、ケーブル格納トレイ２２を引き出す方向を後側と呼び、その反対側を前側と呼ぶ。図２は、ラック１１の後側の扉を開いた状態を示している。
【００２５】
図４は、ケーブル格納トレイ取り付け枠２１を示す斜視図である。
【００２６】
ケーブル格納トレイ取り付け枠２１は、ケーブル格納トレイ２２を引き出し可能に支持する部材である。このケーブル格納トレイ取り付け枠２１には、前述したように、ラック１１の前側及び後側のフレーム１８にねじ止めするためのフランジ部３１ａ，３１ｂが設けられている。また、ケーブル格納トレイ取り付け枠２１の長手方向のほぼ中央部の下側及び上側には、それぞれ２連のピニオン（２連歯車）３２が回転可能に支持されている。それらの２連のピニオン３２は、いずれも回転軸が同一の大径ピニオン部（第１の歯車部）と小径ピニオン部（第２の歯車部）とを有する。大径ピニオン部と小径ピニオン部との歯数比は２：１に設定されている。
【００２７】
更に、ケーブル格納トレイ取り付け枠２１の後側には、ケーブル固定部３３が配置されている。このケーブル固定部３３には、ケーブル固定具３３ｂ（図２参照）を取り付けるための穴３３ａが設けられており、当該ケーブル格納部品２０に格納するケーブルの余長部分の両端が固定される。
【００２８】
更にまた、ケーブル格納トレイ取り付け枠２１には、長手方向に延びるガイド板３４ａ，３４ｂが設けられている。ケーブル格納トレイ２２は、ガイド板３４ａ，３４ｂ間に配置され、ガイド板３４ａ，３４ｂに沿って移動する。
【００２９】
図５は、ケーブル格納トレイ２２を示す斜視図である。
【００３０】
ケーブル格納トレイ２２の後方の部分（引き出し方向先端側）は、ケーブルガイド３７を配置するケーブルガイド配置エリアとなっている。ケーブルガイド配置エリアには、ケーブル格納トレイ２２の引き出し方向（水平方向）に延びる複数本（図５では３本）のガイド穴３６が設けられている。それらのガイド穴３６は、高さ方向に並んでいる。
【００３１】
図６は、ケーブルガイド３７を示す斜視図である。この図６に示すように、ケーブルガイド３７は円筒状の部材であり、その内側にはケーブルガイド３７の中心軸に沿ってねじ部３７ａが設けられている。そして、図５に示すように、ガイド穴３６を挟んでケーブルガイド３７とナット３８とを配置し、ねじ部３７ａをナット３８にねじ込んで、ケーブルガイド３７をケーブルガイド配置エリアに配置する。
【００３２】
ナット３８は、四角形のナット部３８ａと円形のつば部３８ｂとを有し、ナット部３８ａにはケーブルガイド３７のねじ部３７ａに螺合するめねじが設けられている。ナット部３８ａは、一辺の長さがガイド穴３６の幅よりも若干小さく設定されており、ガイド穴３６内に配置される。また、つば部３８ｂは、直径がガイド穴３６の幅よりも若干大きく設定されており、ガイド穴３６の外に配置される。このため、ケーブルガイド３７の取り付け位置を変更する際にケーブルガイド３７を緩める方向に回転させても、ナット３８が回転することはなく、ケーブルガイド３７をガイド穴３７の長手方向に移動させて、任意の位置に容易に固定できる。
【００３３】
また、図５に示すように、ケーブル格納トレイ２２の中央部から前方にかけての領域には、２連のピニオン３２の大径ピニオン部に噛合するラック（第１の歯板）３９が配置されている。
【００３４】
更に、ケーブル格納トレイ２２には、長手方向に延びるガイド板４０が設けられている。ケーブル押え枠２３は、ラック３９とガイド板４０との間に配置され、ラック３９及びガイド板４０に沿って移動する。
【００３５】
図７は、ケーブル押え枠２３を示す斜視図である。
【００３６】
ケーブル押え枠２３は、当該ケーブル格納部品２０に格納するケーブルが電子機器収納部側にはみ出さないように押える部材である。
【００３７】
ケーブル押え枠２３の後端部には、円筒状のケーブル回転ガイド４１がその中心軸を垂直にして配置されている。ケーブル回転ガイド４１は折り返し部の一例である。
【００３８】
また、ケーブル押え枠２３の長手方向の中央には、ピニオン３２の小径ピニオン部に噛合するラック（第２の歯板）４２が設けられている。ケーブル押え枠２３をケーブル格納トレイ２２内に挿入すると、ラック４２はラック３９の隣りに配置される。
【００３９】
以下、本実施形態に係るケーブル格納部品２０の使用方法について、図８〜図１０を参照して説明する。
【００４０】
図８は、上下方向に隣り合う２台の電子機器間にケーブル４５を接続した状態を示している。この図８に示すように、電子機器の保守点検時の作業性を考慮して、ケーブル４５の長さは長めに設定されている。
【００４１】
ケーブル４５を本実施形態に係るケーブル収納部品２０に収納する場合、図９に示すように、ケーブル４５の余長部分（当該ケーブ格納部品２０に格納する部分）の両端部を、ケーブル固定具３３ｂを用いてケーブル固定部３３に固定する。
【００４２】
そして、ケーブル４５の余長部分をケーブル押え枠２３のケーブル回転ガイド４１に回しかけて折り返し、更にケーブル格納トレイ２２のケーブルガイド配置エリアまで引き出してケーブルガイド３７に引っ掛ける。このとき、ケーブル４５に大きな弛みができないように、必要に応じてケーブルガイド３７の位置を調整したり、又はケーブル４５のかけ渡し経路を調整したりする。
【００４３】
その後、図１０に示すように、ケーブル格納トレイ２２を押し込んでラック１１内に収納する。
【００４４】
図１１はケーブル格納トレイ２２をラック１１内に収納するときの各部の動作を示す斜視図であり、図１２は同じくその上面図である。ここでは、図１１（ａ），図１２（ａ）に示す状態を初期状態とする。また、初期状態では、ケーブル固定部３３とケーブル回転ガイド４１（中心）との距離は５０ｍｍであり、ケーブル回転ガイド４１とケーブルガイド３７との距離は４００ｍｍであるとする。
【００４５】
ここで、ケーブル格納トレイ２２をラック１１側に移動すると、ケーブル格納トレイ２２のラック３９に噛合する２連のピニオン３２が回転する。そして、２連のピニオン３２の回転力がラック４２を介してケーブル押え枠２３に伝達され、ケーブル押え枠２３もケーブル格納トレイ２２の移動方向と同じ方向に移動する。
【００４６】
但し、本実施形態ではピニオン３２の大径ピニオン部と小径ピニオン部との歯数比が２：１に設定されているので、ケーブル押え枠２３の移動量はケーブル格納トレイ２２の移動量の１／２となる。
【００４７】
例えば図１１（ｂ），図１２（ｂ）のように、ケーブル格納トレイ２２をラック１１側に１００ｍｍ移動させた場合、ケーブル押え枠２３は５０ｍｍ移動する。その結果、ケーブル固定部３３とケーブル回転ガイド４１（中心）との距離は１００ｍｍとなり、ケーブル回転ガイド４１とケーブルガイド３７との距離は３５０ｍｍとなる。
【００４８】
これと同様に、図１１（ｃ），図１２（ｃ）のように、ケーブル格納トレイ２２を初期状態からラック１１側に２００ｍｍ移動させた場合、ケーブル押え枠２３は初期状態から１００ｍｍ移動する。その結果、ケーブル固定部３３とケーブル回転ガイド４１（中心）との距離は１５０ｍｍとなり、ケーブル回転ガイド４１とケーブルガイド３７との距離は３００ｍｍとなる。
【００４９】
更に、図１１（ｄ），図１２（ｄ）のように、ケーブル格納トレイ２２を初期状態からラック１１側に３００ｍｍ移動させた場合、ケーブル押え枠２３は初期状態から１５０ｍｍ移動する。その結果、ケーブル固定部３３とケーブル回転ガイド４１（中心）との距離は２００ｍｍとなり、ケーブル回転ガイド４１とケーブルガイド３７との距離は２５０ｍｍとなる。
【００５０】
図１２（ａ）〜（ｄ）からわかるように、ケーブル格納トレイ２２の位置が変化しても、ケーブル固定部３３からケーブル回転ガイド４１を通りケーブルガイド３７に至るケーブル４５の長さは常に一定である。従って、ケーブル格納トレイ２２の位置が変化しても、ケーブル４５に過大な張力が印加されたり、逆にケーブル４５が弛んだりすることはない。
【００５１】
ケーブルガイド３７及びケーブル回転ガイド４１の直径を３０ｍｍとすると、図１１，図１２に示すケーブル格納部品２０では、最大引き出し長さが３００ｍｍと短いにもかかわらず、約１０００ｍｍのケーブルを格納することができる。
【００５２】
このように、本実施形態に係るケーブル格納部品２０を使用すると、ラック１１のフレーム１８と側板１９との間の狭い場所にケーブルの余長部分を効率的に格納できるので、ケーブルによりラック１１内の通気性が阻害されることが回避される。従って、ラック１１内の電子機器の冷却が適切に行われ、冷却不足に起因する電子機器の故障及び性能低下が回避される。
【００５３】
図１３は、ラック１１内に複数のケーブル格納部品２０を取り付けた例を示す斜視図である。なお、図１３では、ラック１１の側板を外した状態を示している。
【００５４】
図１４は、ケーブル格納部品２０に余長が異なる複数のケーブルを格納した状態を示す斜視図である。また、図１５は、１つのケーブル格納部品２０に複数のケーブルを格納した状態を示す側面図である。
【００５５】
これらの図１４，図１５に示す例では、１つのケーブル格納部品２０に、光ケーブル５１、ＬＡＮ（Local Area Network）ケーブル５２及びＩＢ（InfiniBand）ケーブル５３等、種類及び余長が異なる種々のケーブルを格納している。そして、ケーブルに応じた大きさのケーブルガイド３７ｃ，３７ｄを使用している。
【００５６】
すなわち、ＬＡＮケーブル５２及びＩＢケーブル５３は小さい半径で曲げても伝送特性は変化しない。そのため、ＬＡＮケーブル５２及びＩＢケーブル５３を引っ掛けるケーブルガイド３７ｃには、半径が小さいものを使用している。
【００５７】
一方、光ケーブル５１は、小さい半径で曲げると伝送特性が劣化してしまう。図１４，図１５に示す例では、光ケーブル５１を引っ掛けるケーブルガイド３７ｄに半径が大きいものを使用することで、曲げによる光ケーブル５１の伝送特性の劣化を回避している。
【００５８】
図１６（ａ）〜（ｃ）は、ケーブル格納部品２０から１本のケーブルのみを取り外す手順を示す模式図である。
【００５９】
ケーブル格納部品２０から１本のＬＡＮケーブル５２のみを取り外す場合、まず、図１６（ａ）のようにケーブル格納トレイ２２をラックから引き出し、取り外すべきケーブル５２を引っ掛けているケーブルガイド３７ｃのねじを緩める。そして、図１６（ｂ）のようにケーブルガイド３７ｃをガイド穴３６に沿って図１６（ｂ）中に矢印で示す方向に移動させ、ケーブルガイド３７ｃからケーブル５２を取り外す。
【００６０】
次いで、図１６（ｃ）のようにケーブル固定部３３側から図１６（ｃ）中に矢印で示す方向にケーブル５２を引き出し、ケーブル格納部品２０からケーブル５２を取り外す。
【００６１】
このように、本実施形態に係るケーブル格納部品２０では、他のケーブルに影響を与えることなく１本のケーブルを容易に取り出すことができる。これにより、ラック内に収納された電子機器の保守点検作業が容易になる。また、他の電子機器に影響を与えることなく所望のケーブルのみを取り出すことができるので、電子機器を稼働させたまま保守点検作業を行うことも可能である。
【００６２】
更に、ケーブル格納トレイ２２を引き出した状態でケーブル格納部品２０にケーブルを格納し、その後ケーブル格納トレイ２２を移動しても、ケーブルに弛みが発生したり、過度の張力が印加されることはない。
【００６３】
以上の諸実施形態に関し、更に以下の付記を開示する。
【００６４】
（付記１）電子機器が収納されるラックに固定されるトレイ取り付け枠と、
前記トレイ取り付け枠内に引き出し可能に配置される第１のトレイと、
前記トレイ取り付け枠内に配置され、前記第１のトレイに連動して前記第１のトレイの移動方向と同じ方向に移動する第２のトレイと、
前記第１のトレイの引き出し方向の先端側に配置されて前記電子機器に接続されたケーブルが引っ掛けられるケーブルガイドと、
前記第２のトレイに設けられて前記ケーブルを折り返す折り返し部と
を有することを特徴とするケーブル格納部品。
【００６５】
（付記２）前記トレイ取り付け枠に設けられて前記ケーブルの所定部分を固定するケーブル固定部を有し、
前記折り返し部は前記ケーブル固定部を挟んで前記ケーブルガイドと反対側に配置されていることを特徴とする付記１に記載のケーブル格納部品。
【００６６】
（付記３）前記トレイ取り付け枠に配置された、第１の歯車部と第２の歯車部とが連結した構造の２連歯車と、
前記第１のトレイに設けられて前記第１の歯車部に噛合する第１の歯板と、
前記第２のトレイに設けられて前記第２の歯車部に噛合する第２の歯板とを有し、
前記第１の歯車部と前記第２の歯車部との歯数比が２：１であることを特徴とする付記１に記載のケーブル格納部品。
【００６７】
（付記４）前記第２のトレイの移動量は、前記第１のトレイの移動量の１／２であることを特徴とする付記１又は３に記載のケーブル格納部品。
【００６８】
（付記５）前記第１のトレイは、当該第１のトレイの引き出し方向に平行な方向に延びるガイド穴を有し、
前記ケーブルガイドは、前記ガイド穴の長さ方向の任意の位置に固定可能であることを特徴とする付記１又は２に記載のケーブル格納部品。
【００６９】
（付記６）前記ガイド穴は、前記第１のトレイの引き出し方向に直交する方向に複数配列していることを特徴とする付記５に記載のケーブル格納部品。
【００７０】
（付記７）前記ケーブルガイドを複数有することを特徴とする付記１に記載のケーブル格納部品。
【００７１】
（付記８）前記ケーブルガイドを複数有し、前記ガイド穴は前記第１のトレイの引き出し方向に直交する方向に複数配列していることを特徴とする付記５に記載のケーブル格納部品。
【００７２】
（付記９）前記ケーブルガイドは円筒状の部材であり、前記ケーブルガイドの直径が前記ケーブルの種類に応じて設定されていることを特徴とする付記５に記載のケーブル格納部品。
【００７３】
（付記１０）電子機器を収納するラック本体と、
前記ラック本体内に配置されて前記電子機器に接続されたケーブルを格納するケーブル格納部品とを具備し、
前記ケーブル格納部品は、
前記ラック本体に固定されるトレイ取り付け枠と、
前記トレイ取り付け枠内に引き出し可能に配置される第１のトレイと、
前記トレイ取り付け枠内に配置され、前記第１のトレイに連動して前記第１のトレイの移動方向と同じ方向に移動する第２のトレイと、
前記第１のトレイの引き出し方向の先端側に配置されて前記ケーブルが引っ掛けられるケーブルガイドと、
前記第２のトレイに設けられて前記ケーブルを折り返す折り返し部とを有する
ことを特徴とする電子機器収納ラック。
【００７４】
（付記１１）前記トレイ取り付け枠が、前記電子機器と前記ラック本体の側板との間に配置されていることを特徴とする付記１０に記載の電子機器収納ラック。
【符号の説明】
【００７５】
１０…電子機器、１１…ラック（ラック本体）、１８…フレーム、２０…ケーブル格納部品、２１…ケーブル格納トレイ取り付け枠、２２…ケーブル格納トレイ、２３…ケーブル押え枠、３１ａ，３１ｂ…フランジ部、３２…２連のピニオン、３３…ケーブル固定部、３３ｂ…ケーブル固定具、３４ａ，３４ｂ，４０…ガイド板、３５…取っ手、３６…ガイド穴、３７…ケーブルガイド、３８…ナット、３９，４２…ラック（歯板）、４１…ケーブル回転ガイド、４５，５１〜５３…ケーブル。
【図１】
2015230980.tif 000003
【図２】
2015230980.tif 000004
【図３】
2015230980.tif 000005
【図４】
2015230980.tif 000006
【図５】
2015230980.tif 000007
【図６】
2015230980.tif 000008
【図７】
2015230980.tif 000009
【図８】
2015230980.tif 000010
【図９】
2015230980.tif 000011
【図１０】
2015230980.tif 000012
【図１１】
2015230980.tif 000013
【図１２】
2015230980.tif 000014
【図１３】
2015230980.tif 000015
【図１４】
2015230980.tif 000016
【図１５】
2015230980.tif 000017
【図１６】
2015230980.tif 000018